(57)【要約】【課題】掃除機本体を大きくすることなく、コンパクトで簡便な手段により、塵埃の臭気を除去し、排気の臭気を低減できる使い勝手の良い電気掃除機を提供する。【解決手段】掃除機本体１０に着脱自在に設けられ吸気口２０から吸引される塵埃を収集する集塵部（集塵箱）１４と、集塵部１４の上方を開閉自在に覆う蓋体２７と、電動送風機１２とを備え、吸気口２０と連通する集塵部１４の吸気通路３３入口近傍に、固形体の脱臭剤３４と脱臭剤切削手段３５とを有した脱臭剤収納部３６を設け、脱臭剤収納部３６を介して脱臭剤３４に振動を加え、脱臭剤３４を粒状または粉状化させて、集塵部１４内に投入させるもので、直接、粉状または粒状の脱臭剤を集塵部に投入することが可能で塵埃と満遍なく混合し、強力に塵埃の臭気を除去できる。【選択図】図２
2008173270.tif 000002
【特許請求の範囲】
【請求項１】
掃除機本体に着脱自在に設けられ吸気口から吸引される塵埃を収集する集塵箱と、前記集塵箱の上方を開閉自在に覆う蓋体と、電動送風機とを備え、前記吸気口と連通する集塵箱の吸気通路入口近傍に、固形体の脱臭剤と脱臭剤切削手段とを有した脱臭剤収納部を設け、前記脱臭剤収納部を介して前記脱臭剤に振動を加え、前記脱臭剤を粒状または粉状化させて、前記集塵箱内に投入させる電気掃除機。
【請求項２】
脱臭剤収納部を集塵箱に着脱自在に設けた請求項１に記載の電気掃除機。
【請求項３】
脱臭剤収納部と集塵箱の吸気通路との接続部に、脱臭剤を集塵箱内に投入する脱臭剤投入部を設け、前記脱臭剤投入部を集塵箱に着脱自在に設けた請求項１または２に記載の電気掃除機。
【請求項４】
蓋体に、摺動自在に構成された操作ボタンを設け、前記操作ボタンの摺動に連動して、脱臭剤収納部内の脱臭剤に振動が加えられるようにした請求項１〜３のいずれか１項に記載の電気掃除機。
【発明の詳細な説明】
【技術分野】
【０００１】
本発明は、脱臭材料を用いて吸引した塵埃の臭気を除去し、排気の臭気を低減す電気掃除機に関するものである。
【背景技術】
【０００２】
従来のこの種の電気掃除機は、下記のようなものが一般的であった。この電気掃除機を図８を用いて説明する。
【０００３】
掃除機本体１の後方には、吸引用の電動送風機（図示せず）を内蔵し、前記掃除機本体１の前方には塵埃を収集する集塵部２が備えられている。
【０００４】
また、集塵部２の前方で、掃除機本体１の通気口３の上部には、脱臭剤４を収納する脱臭剤収納部５が具備されている。
【０００５】
電動送風機側には、電動送風機に電力を供給するための電源コード６、電源コード６を巻き取るためのコードリール７が配設されており、コードリール７の回転に連動して、脱臭剤収納部５に振動を加え、前記脱臭剤４を前記集塵部２に投入させ、集塵部２内に堆積した塵埃の脱臭を行っていた（例えば、特許文献１参照）。
【特許文献１】特開２００６−１９２０４６号公報
【発明の開示】
【発明が解決しようとする課題】
【０００６】
しかしながら、上記特許文献１に記載された構成は、掃除機本体１の通気口３の上部に、脱臭剤４を収納する脱臭剤収納部５が配設されている為、脱臭剤収納部５から、排出される脱臭剤４は、掃除機本体１側に構成された、連通路を通り、集塵部２へ向かう為、脱臭剤４が、集塵部２に連通する間での経路に堆積するという課題を有するものであった。
【０００７】
また、掃除機本体１に設けられた脱臭剤収納部５から、脱臭剤４を前記集塵部２に投入させる構成は、コードリール７の回転に連動して投入させるものが考えられていたが、コードリール７と、脱臭剤収納部５との連結構成が特殊な機構で複雑となり、また組立て性が困難であった。さらに、掃除機本体１の通気口３の上部に、脱臭剤４を収納する脱臭剤収納部５が配設されている為、掃除機本体１の前方を大きく作る必要があり，掃除機本体１が大型化になるという課題があった。
【０００８】
また、集塵部２の、通気口３の上部に、脱臭剤４を収納する脱臭剤収納部５を設ける構成を考えた時、脱臭剤収納部５から、脱臭剤４を排出させる連結機構が複雑化し、また、集塵部２を水洗いした時、脱臭剤４が破壊される課題があり実施検討が困難であった。
【０００９】
本発明は、上記の課題を解決するものであり、脱臭剤を無駄なく使用し、簡単な構成で脱臭剤を直接集塵部に投入し、塵埃の臭気を除去させる。さらには、集塵部の水洗いを可能とし掃除機本体を大型化することなくコンパクトな電気掃除機を提供することを目的としている。
【課題を解決するための手段】
【００１０】
前記従来の課題を解決するために本発明は、掃除機本体に着脱自在に設けられ吸気口から吸引される塵埃を収集する集塵箱と、前記集塵箱の上方を開閉自在に覆う蓋体と、電動送風機とを備え、前記吸気口と連通する集塵箱の吸気通路入口近傍に、固形体の脱臭剤と脱臭剤切削手段とを有した脱臭剤収納部を設け、前記脱臭剤収納部を介して前記脱臭剤に振動を加え、前記脱臭剤を粒状または粉状化させて、前記集塵箱内に投入させるものである。
【００１１】
これによって、直接、粉状または粒状化の脱臭剤を集塵箱に投入することが可能で塵埃と満遍なく混合し、強力に塵埃の臭気を除去する。
【００１２】
また、脱臭剤収納部から、脱臭剤を前記集塵箱に投入させる構成が、特殊な機構を用いることなく、掃除機本体のスぺースを有効に活用し、大型化することなく、コンパクトで簡単な手段で有用な電気掃除機とすることができる。
【発明の効果】
【００１３】
本発明の電気掃除機は、簡便な手段により塵埃の臭気を除去することにより、排気の臭気を大幅に低減する電気掃除機とすることができる。
【発明を実施するための最良の形態】
【００１４】
第１の発明は、掃除機本体に着脱自在に設けられ吸気口から吸引される塵埃を収集する集塵箱と、前記集塵箱の上方を開閉自在に覆う蓋体と、電動送風機とを備え、前記吸気口と連通する集塵箱の吸気通路入口近傍に、固形体の脱臭剤と脱臭剤切削手段とを有した脱臭剤収納部を設け、前記脱臭剤収納部を介して前記脱臭剤に振動を加え、前記脱臭剤を粒状または粉状化させて、前記集塵箱内に投入させる構成としたものである。
【００１５】
この構成により脱臭剤収納部に収納された脱臭剤は、重力または掃除機の電動送風機の運転によって生じる吸気流の乱れによって直接、集塵箱に吸い込まれて投入されることになる。このように吸引した塵埃と直接脱臭剤が投入されることで、無駄なく脱臭剤が使用さることとなり塵埃の臭気を除去し、排気臭気の低減を図ることができる。
【００１６】
また、脱臭剤収納部から、脱臭剤を集塵箱に投入させる構成が、簡単に構成できることから組立て性が向上し、掃除機本体のスぺースを有効に活用し、大型化することなく、コンパクトにすることが可能となる。
【００１７】
第２の発明は、脱臭剤収納部を集塵箱に着脱自在に設けたことにより、集塵箱を水洗いする時、脱臭剤収納部を取り外して使用すれば、脱臭剤収納部に収納されている固形体の脱臭剤を傷めることなく、集塵箱を水洗いすることができるので、使い勝手が向上できる。
【００１８】
第３の発明は、脱臭剤収納部と集塵箱の吸気通路との接続部に、脱臭剤を集塵箱内に投入する脱臭剤投入部を設け、前記脱臭剤投入部を集塵箱に着脱自在に構成している。
【００１９】
このことより、集塵箱を水洗いする時、脱臭剤投入部を取り外して使用すれば、脱臭剤投入部に残った粉が水等で固形化されることなく、集塵箱を水洗いすることができるので、使い勝手が向上できる。
【００２０】
第４の発明は、蓋体に、摺動自在に構成された操作ボタンを設け、前記操作ボタンの摺動に連動して、脱臭剤収納部内の脱臭剤に振動が加えられるようにしたもので、操作ボタンの動作に連動して、吸引した塵埃に直接脱臭材を投入することで脱臭効果が向上する。また、操作ボタンの動作に応じて、脱臭材の投入量が調節可能となり使い勝手が向上する。
【００２１】
以下、本発明の実施の形態について、図面を参照しながら説明する。なお、この実施の形態によりこの発明が限定されるものではない。
【００２２】
（実施の形態１）
本発明の第１の実施の形態における電気掃除機について、図１〜６を用いて説明する。
【００２３】
図１は、本実施の形態における電気掃除機の全体斜視図、図２は、同電気掃除機の断面図である。図３は、同電気掃除機の集塵部の斜視図。図４は、同電気掃除機の脱臭剤収納部の分解斜視図。図５は、同電気掃除機の部分断面図である。また、図６は、同電気掃除機の集塵部と脱臭剤収納部を示した斜視図である。
【００２４】
図１、図２において、１０は掃除機本体で、後部に電動送風機１２を内蔵した電動送風機室１３が配され、前部に、着脱自在で塵埃を分離捕集する集塵部（集塵箱）１４を収納する集塵部収納部１５が配され、後方下部の両側に１対の走行用の車輪１６が回転自在に取着され、底面前部には、同じく走行用のキャスター１７が取着されている。掃除機本体１０の前部には、ホース１８の一端に設けた接続パイプ１９が着脱自在に接続される吸気口２０が設けられている。
【００２５】
ホース１８の他端には、掃除の際に握る把手２１を備えた先端パイプ２２が設けられている。２３は、伸縮自在或いは継ぎ自在の延長管で、下流側端部が前記先端パイプ２２に着脱自在に接続され、他端は、塵埃を吸取る、吸い込み具２４に着脱自在に接続される。
【００２６】
２５は、弾性材料から形成され掃除機本体１０の前側から両側に延設されたバンパーで、掃除機本体１０の走行時に家具、柱などに衝突してもそれらに傷をつけないようにするためのものである。
【００２７】
２６は、掃除機本体１０を持ち運ぶ際に立てて使用する本体ハンドルで、掃除機本体１０の重心を通る垂直線上に回動中心が位置するように掃除機本体１０の上部に回動自在に取り付けられている。
【００２８】
２７は、集塵部１４を収納する蓋体で掃除機本体１０に開閉自在に軸支されている。
【００２９】
掃除機本体１０の後方は、電源コード２８を収納するコードリール（図示せず）が配設されている。
【００３０】
電動送風機１２の前部は、弾性材料からなるサポートゴムマエ２９で、後部は、同じく弾性材料からなるサポートゴムウシロ３０で、電動送風機室１３内に支持されている。３１は、電動送風機室１３と集塵部収納部１５とを仕切る隔壁で、略中央に電動送風機１２の吸入開口１２ａと連通する格子状の隔壁開口部３２が設けられている。
【００３１】
図２、図３において、掃除機本体１０の吸入口２０から、集塵部１４に連通する吸気通路３３で、前記集塵部１４の吸気通路３３近傍には、固形体の脱臭剤３４を収納した脱臭剤切削手段３５を有する脱臭剤収納部３６が設けられている。
【００３２】
図４は、脱臭剤収納部３６の分解斜視図であり、３４は略四角形状の脱臭材である。また、脱臭剤３４は粉末状ゼオライトをリン酸アルミをバインダーとして、略四角形状に固めた固形体ものである。
【００３３】
また、脱臭剤３４は収納箱３７に収納され、収納箱３７上方には脱臭剤３４を押圧させるための弁３８がバネ３９で付勢されて収納ケース４０に上下動自在に固定されている。収納ケース４０は両側面につまみ釦４１、４２を、収納箱３７には前記つまみ釦４１、４２と係合する爪３７ａ，３７ｂを有しており、前記つまみ釦４１、４２を押さえると、爪３７ａ、３７ｂとの係合が外れて収納ケース４０を上方向に引き上げることが可能となる。また引き上げられた収納ケース４０を押さえて元の位置に戻すと、再度つまみ釦４１、４２と爪３７ａ、３７ｂが係合し収納ケース４０と収納箱３７との固定ができる。
【００３４】
収納箱３７の下方で、脱臭剤３４の下方には脱臭剤３４を粒状化するための開口穴を有したメッシュ形状の切削刃４３が刃押え枠４４に固定されており、前記刃押え枠４４は、刃受台４５に摺動自在に収納されている。
【００３５】
切削刃４３と刃受台４５を往復動作させる為に、刃押え枠４４の一端に凸部４６が形成され、この凸部４６に傾斜面４７が設けられている。この傾斜面４７の相対側に、傾斜面４７ａを有したレバー４８が備えられている。
【００３６】
また、レバー４８は、レバー枠４９に収納され、レバー枠４９は収納箱３７に固定されるよう構成されている。
【００３７】
また、レバー４８は、上下摺動可能に取り付けられている。
【００３８】
また、刃押え枠４４の端部５０と、刃受台４５の端部５０との間にコイルバネ５１が備えられており、刃押え枠４４は、常時Ａ方向に付勢されている。
【００３９】
また、図４、図５において刃受台４５下方には、集塵部１４の吸気通路３３に連通する、脱臭剤投入部５３が設けられており、前記脱臭剤投入部５３に設けられた開口穴５３ａと、前記刃受台４５に設けた連通路４５ａが連通するように固定されている。
【００４０】
次に図４、図５で脱臭剤切削手段３５の動作を説明する。
【００４１】
図４、図５において、レバー４８に形成された、連結棒５２を下方に押すことによって、レバー４８に設けられた傾斜面４７ａが、刃押え枠４４の凸部４６に設けられた傾斜面４７を押す。この動きより、刃押え枠４４は、Ｂ方向に摺動される。また、レバー４８に形成された、連結棒５２を押す動作を止めれば、刃押え枠４４は、コイルバネ５１によって、Ａ方向に摺動する。
【００４２】
このとき、刃押え枠４４に固定されている切削刃４３も同時に摺動し、固形体の脱臭剤３４を切削刃４３で削り粉末化される。
【００４３】
同時に脱臭剤３４の底面が削られて切削刃４３の開口穴から落下し、刃受台４５に設けた連通路４５ａを通リ抜ける。連通路４５ａを通リ抜けた脱臭剤３４は、集塵部１４の吸気通路３３上流側に具備された脱臭剤投入部５３の開口穴５３ａを連通する。連通した脱臭剤３４は、吸引風と共に集塵部１４の吸気通路３３に連通され、集塵部１４内に塵埃と吸引される。
【００４４】
上記構成による作用は以下の通りである。
【００４５】
本実施の形態のように、脱臭剤３４が集塵部１４内に連通する距離が短くなり、脱臭剤３４が連通する途中で堆積していくことが低減され、且つ、吸引した塵埃に直接、脱臭剤３４を投入することとなり、無駄なく脱臭剤３４を使用し、強力に塵埃の臭気を除去し、特に臭気レベルの高い掃除機使用初期時にも排気臭気の低減を図ることができる。
【００４６】
さらに、脱臭剤切削手段３５を有する脱臭剤収納部３６の構成が、廉価な構成となり、特殊な機構を使わなくなり、組立て性が向上する。
【００４７】
また、脱臭剤収納部３６を、集塵部１４の吸気通路３３近傍に配置されていることより、掃除機本体１０の前方は大型化することなく、コンパクトな形状にすることができる。
【００４８】
図５、図６において、脱臭剤収納部３６の収納箱３７には、集塵部１４の前面に設けられた、開口穴５４と係合する引掛け部５５を有しており、脱臭剤収納部３６は、集塵部１４と着脱自在に構成されている。
【００４９】
これによって、集塵部１４を水洗いする時、脱臭剤収納部３６を取り外して清掃行えば、脱臭剤収納部３６に収納されている固形体の脱臭剤３４を傷めることなく、集塵部１４を水洗いすることができ、使い勝手が向上できる。
【００５０】
また、図５、図６において、吸気通路３３前方に具備された脱臭剤投入部５３は、集塵部１４の前面に設けられた、複数の引掛けリブ５６とで、集塵部１４と着脱自在に構成されている。
【００５１】
このことより、集塵部１４を水洗いする時、脱臭剤投入部５３を取り外して清掃行えば、脱臭剤投入部５３に残った粉が水等で固形化されることなく、集塵部１４を水洗いすることができ、使い勝手が向上できる。
【００５２】
また、脱臭剤投入部５３は、塵埃を収集する集塵部１４の吸気通路３３上流側に配設されていることより、吸引した塵埃と、脱臭剤３４が、より直接集塵部１４に投入されることとなり、集塵部１４内での臭気の滞留が確実に低減させることができる。また、掃除機本体１０の前方のスペースを有効に活用することによって大型化することなく、コンパクトな形状にすることができる。
【００５３】
また、図３、図５において、脱臭剤投入部５３に残溜した脱臭剤３４がこぼれでないように脱臭剤投入部５３の内周面に障壁５７が設けられている。
【００５４】
このことより、集塵部１４の吸気通路３３から脱臭剤３４がこぼれ落ちることが防止され、使い勝手が向上する。
【００５５】
次に集塵部１４の吸気通路３３に連通する、脱臭剤投入部４２の開口穴４２ａを連通する。連通した脱臭材２４は、吸引風と共に、集塵部１４内に塵埃と吸引される。
【００５６】
（実施の形態２）
図７は、本発明の第２の実施の形態における電気掃除機の要部断面図である。本実施の形態２は、実施の形態１から脱臭剤切削手段３５のまわりを詳細に表したものである。なお、実施の形態１と同符号のものは同一構造を有し、その説明は省略する。
【００５７】
図７において、集塵部１４を開閉自在に覆う蓋体２７には、支軸５８を中心に回動自在にボタン５９が設けられている。また、脱臭剤収納部３６に配設されたレバー４８の連結棒５２の相対位置には、ボタン５９からリブ６０が形成されている。
【００５８】
次に図４、図７でボタン５９の動作を説明する。
【００５９】
図７において、ボタン５９を下方に押せば、ボタン５９は、支軸５８を中心に回動する、この回動動作と連動し、ボタン５９からのリブ６０は、レバー４８に形成された、連結棒５２を下方に押す。この時、レバー４８に設けられた傾斜面４７ａが、刃押え枠４４の凸部４６に設けられた傾斜面４７を押す。この動きより、刃押え枠４４は、Ｂ方向に摺動される。また、ボタン５９を押すことをやめ、レバー４８に形成された、連結棒５２を押す動作を止めれば、刃押え枠４４は、コイルバネ５１によって、Ａ方向に摺動する。
【００６０】
このとき、刃押え枠４４に固定されている切削刃４３も同時に摺動し、固形体の脱臭剤３４を切削刃４３で削り粉末化される。
【００６１】
以上から、本実施の形態のように、外からのボタン５９の動作に連動して、吸引した塵埃に直接脱臭剤３４を投入することで使用性が向上する。また、ボタン５９の動作に応じて、脱臭剤３４の投入量が調節可能となり使い勝手が向上する。
【産業上の利用可能性】
【００６２】
以上のように、本発明にかかる電気掃除機は、掃除機本体を大きくすることなくコンパクトで簡便な手段により塵埃の臭気を除去し、大幅に排気の臭気を低減できる。
【図面の簡単な説明】
【００６３】
【図１】本発明の実施の形態１における電気掃除機の全体斜視図
【図２】同電気掃除機の断面図
【図３】同電気掃除機の集塵部の斜視図
【図４】同電気掃除機の脱臭剤収納部の分解斜視図
【図５】同電気掃除機の部分断面図
【図６】同電気掃除機の集塵部と脱臭剤収納部を示した斜視図
【図７】本発明の実施の形態２における電気掃除機の要部断面図
【図８】従来の掃除機本体の断面図
【符号の説明】
【００６４】
１０  掃除機本体
１２  電動送風機
１４  集塵部（集塵箱）
２０  吸気口
２７  蓋体
３３  吸気通路
３４  脱臭剤
３５  脱臭剤切削手段
３６  脱臭剤収納部
５３  脱臭剤投入部
５７  障壁
５９  ボタン（操作ボタン）
【図１】
2008173270.tif 000003
【図２】
2008173270.tif 000004
【図３】
2008173270.tif 000005
【図４】
2008173270.tif 000006
【図５】
2008173270.tif 000007
【図６】
2008173270.tif 000008
【図７】
2008173270.tif 000009
【図８】
2008173270.tif 000010